(57)【要約】【課題】穿刺時の痛みを抑えることができると共に、より精度よく穿刺することができる、新規な構造の留置針組立体を提供すること。【解決手段】外針ハブ１６を基端側に有する外針１２に対して、内針ハブ３８を基端側に有する内針１４が抜去可能に挿通されている留置針組立体１０において、外針ハブ１６は、外針１２が固定される針接合部１８と、外部流路に接続される流路接続部２０と、それら針接合部１８と流路接続部２０をつなぐ軟質チューブ２２とを、備えており、内針ハブ３８には先端側へ向かって延びる穿刺操作部４８が設けられて、穿刺操作部４８が流路接続部２０の外周に延び出している。【選択図】図４
2020188876.tif 000002
【特許請求の範囲】
【請求項１】
外針ハブを基端側に有する外針に対して、内針ハブを基端側に有する内針が抜去可能に挿通されている留置針組立体において、
前記外針ハブは、前記外針が固定される針接合部と、外部流路に接続される流路接続部と、それら針接合部と流路接続部をつなぐ軟質チューブとを、備えており、
前記内針ハブには先端側へ向かって延びる穿刺操作部が設けられて、該穿刺操作部が該流路接続部の外周に延び出している留置針組立体。
【請求項２】
前記穿刺操作部が前記軟質チューブの外周に延び出している請求項１に記載の留置針組立体。
【請求項３】
前記穿刺操作部が筒状とされている請求項１又は２に記載の留置針組立体。
【請求項４】
前記穿刺操作部の外面には、手指によって支持される一対の支持面が設けられている請求項１〜３の何れか一項に記載の留置針組立体。
【発明の詳細な説明】
【技術分野】
【０００１】
本発明は、例えば血液透析や採血などを行う際に用いられる留置針組立体に関するものである。
【背景技術】
【０００２】
従来から、経皮的に血管に挿し入れられる外針の基端側に外針ハブが設けられており、外針から外針ハブに至る内部流路を、外針ハブにおいて外部流路に接続可能とした留置針が知られている。
【０００３】
また、留置針は、特開２００５−２７０６３８号公報（特許文献１）に示されているように、基端側に内針ハブを備えた穿刺用の内針と組み合わされて留置針組立体として医療現場へ提供されることも多い。
【０００４】
かかる留置針組立体は、外針に挿通された内針を患者の腕などの血管に穿刺し、内針を外針から抜去することで、外針を血管に穿刺した状態で留置することができる。そして、例えば透析用の血液回路に導かれるチューブやシリンジなどの外部流路を外針ハブに接続して、血液透析や採血などの治療に使用される。
【先行技術文献】
【特許文献】
【０００５】
【特許文献１】特開２００５−２７０６３８号公報
【発明の概要】
【発明が解決しようとする課題】
【０００６】
ところで、留置針組立体の内針を患者の血管に穿刺する際に、穿刺を行う医療従事者は、穿刺時の針先のブレを抑えて正確に穿刺するために、針先により近い位置で留置針組立体を持つことを望む傾向にある。それ故、例えば、特許文献１のように、外針ハブが軟質チューブを備える長尺の構造である場合に、医療従事者が内針ハブよりも針先に近い位置にある外針ハブを持って穿刺を行うこともあり得る。
【０００７】
しかしながら、本発明者の検討によれば、外針ハブは、患者の皮膚や血管壁を刺し通す内針に対して、ある程度の動きが許容されることから、外針ハブを持って穿刺を行うと、内針が安定して支持されず、穿刺時に内針が外針ハブ及び外針に対して動く場合がある。それ故、内針の針先の位置がずれて血管にうまく穿刺されなかったり、外針が内針の針先付近に被さって内針の切れ味が落ちることで穿刺時の痛みが増大することも考えられるという、新規な知見を得るに至った。
【０００８】
本発明の解決課題は、穿刺時の痛みを抑えることができると共に、より正確に穿刺することができる、新規な構造の留置針組立体を提供することにある。
【課題を解決するための手段】
【０００９】
以下、本発明を把握するための好ましい態様について記載するが、以下に記載の各態様は、例示的に記載したものであって、適宜に互いに組み合わせて採用され得るだけでなく、各態様に記載の複数の構成要素についても、可能な限り独立して認識及び採用することができ、適宜に別の態様に記載の何れかの構成要素と組み合わせて採用することもできる。それによって、本発明では、以下に記載の態様に限定されることなく、種々の別態様が実現され得る。
【００１０】
第１の態様は、外針ハブを基端側に有する外針に対して、内針ハブを基端側に有する内針が抜去可能に挿通されている留置針組立体において、前記外針ハブは、前記外針が固定される針接合部と、外部流路に接続される流路接続部と、それら針接合部と流路接続部をつなぐ軟質チューブとを、備えており、前記内針ハブには先端側へ向かって延びる穿刺操作部が設けられて、該穿刺操作部が該流路接続部の外周に延び出しているものである。
【００１１】
本態様に従う構造とされた留置針組立体によれば、外針ハブの外周まで延び出した内針ハブ側の穿刺操作部を持って穿刺することにより、外針ハブ側を持って穿刺をする場合のような内針の動きが生じ難く、高精度な穿刺が可能となる。特に、外針ハブが針接合部と流路接続部を軟質チューブで繋いだ長尺の構造とされている場合に、より針先に近い位置で内針側を持つことによって、軟質チューブの変形による針先のブレなどが回避されて、穿刺の精度が向上する。
【００１２】
外針の内針に対する移動が防止されることによって、外針が内針の先端部分に被さるのを防いで、内針の先端部分の切れ味が低下するのを回避できる。これにより、内針を患者に穿刺する際の痛みを抑えることができる。
【００１３】
第２の態様は、第１の態様に記載された留置針組立体において、前記穿刺操作部が前記軟質チューブの外周に延び出しているものである。
【００１４】
本態様に従う構造とされた留置針組立体によれば、穿刺操作部がより先端側まで延び出すことによって、針先により近い位置で内針側を持つことができて、高精度な穿刺が可能になる。特に、穿刺操作部が軟質チューブの外周まで延び出すことにより、容易に変形する軟質チューブを持った状態での穿刺が回避され易くなる。
【００１５】
第３の態様は、第１又は第２の態様に記載された留置針組立体において、前記穿刺操作部が筒状とされているものである。
【００１６】
本態様に従う構造とされた留置針組立体によれば、穿刺操作部の形状安定性が高まることによって、穿刺手技の精度がより高まる。また、外針ハブの外周が筒状の穿刺操作部で囲まれることにより、外針ハブが穿刺操作部によって保護される。
【００１７】
第４の態様は、第１〜第３の何れか１つの態様に記載された留置針組立体において、前記穿刺操作部の外面には、手指によって支持される一対の支持面が設けられているものである。
【００１８】
本態様に従う構造とされた留置針組立体によれば、一対の支持面を手指で挟むように持つことで、穿刺操作部を安定して支持することができて、穿刺を高精度に行うことができる。
【発明の効果】
【００１９】
本発明によれば、穿刺時の痛みを抑えることができると共に、より正確に穿刺することができる、新規な構造の留置針組立体を提供することが可能となる。
【図面の簡単な説明】
【００２０】
【図１】本発明の第１の実施形態としての留置針組立体を示す斜視図
【図２】図１に示す留置針組立体の右側面図
【図３】図２に示す留置針組立体の平面図
【図４】図３のＩＶ−ＩＶ断面図
【図５】図１に示す留置針組立体の穿刺時の使用状態を示す平面図
【図６】図４に示す留置針組立体において、内針を外針から抜去した状態を示す断面図
【発明を実施するための形態】
【００２１】
以下、本発明の実施形態について、図面を参照しつつ説明する。
【００２２】
図１〜３には、本発明の第１の実施形態としての留置針組立体１０が示されている。留置針組立体１０は、外針１２に内針１４が抜去可能な態様で挿通された構造を有している。以下の説明において、軸方向とは、原則として、外針１２及び内針１４の針軸方向である図２中の左右方向を言う。また、先端側とは針先側である図２中の左側を、基端側とは図２中の右側を、それぞれ言う。
【００２３】
外針１２は、合成樹脂などで形成された小径チューブ状とされている。外針１２は、先端部分が先端側に向かって次第に小径となるテーパ形状とされている。
【００２４】
外針１２の基端側には、外針ハブ１６が設けられている。外針ハブ１６は、全体として筒状とされており、図４に示すように、針接合部１８と流路接続部２０が軟質チューブ２２によって連結された構造を有している。
【００２５】
針接合部１８は、硬質の合成樹脂によって形成されている。針接合部１８は、図１〜４に示すように、先端に向かって小径となるテーパ筒状とされている。針接合部１８の内周には、外針１２の基端部分が挿入されて嵌合されている。これにより、外針１２は、基端部分に針接合部１８が固定されて、針接合部１８から先端側へ延び出している。
【００２６】
流路接続部２０は、後述する外部流路に接続される接続部を基端に有する筒状の構造を有しており、本実施形態においては、図４に示すように、筒状の弁ハウジング２４に止血弁２６と押し子２８が収容された構造を有している。弁ハウジング２４は、筒状とされたカバー部材３０の基端部分に、筒状とされた押し子ガイド３２の先端部分が挿し入れられて、それらカバー部材３０と押し子ガイド３２が軸方向で連結されることによって構成されている。押し子ガイド３２は、基端部分が略一定の断面形状で軸方向に延びていると共に、基端部には外周へ向けて突出する雄ねじ部３４が一体形成されている。
【００２７】
止血弁２６は、全体として略円板形状とされており、樹脂エラストマやゴムなどの弾性体によって形成されている。止血弁２６は、円板形状の中央部分に放射状の切込み３５が形成されており、中央部分の弾性変形によって切込み３５が開閉されるようになっている。止血弁２６の外周部分は、押し子ガイド３２の先端と、カバー部材３０の内周に保持された弁支持部材３６との間で軸方向に挟持されている。これにより、止血弁２６が弁ハウジング２４によって支持されて、弁ハウジング２４の内腔が止血弁２６によって遮断されている。
【００２８】
押し子２８は、筒状とされており、押し子ガイド３２の内周に挿入されている。押し子２８は、基端部分が略一定の外径寸法とされていると共に、先端部分の外周面が先端側に向かって小径となるテーパ形状とされている。
【００２９】
針接合部１８と流路接続部２０をつなぐ軟質チューブ２２は、樹脂エラストマやゴムなどで形成されて湾曲変形可能とされていると共に、断面形状の変化も許容されている。軟質チューブ２２が設けられることにより、例えば、外針ハブ１６を皮膚に固定した状態で後述する外部流路を外針ハブ１６に接続し易くなる。軟質チューブ２２の先端部分は、針接合部１８と外針１２の間に差し入れられて固着されている。軟質チューブ２２の基端部分は、流路接続部２０のカバー部材３０に挿入状態で取り付けられたチューブ連結部材３７の内周へ差し入れられて固着されている。これにより、針接合部１８と流路接続部２０が軟質チューブ２２で接続されており、針接合部１８の内腔と流路接続部２０の内腔が、軟質チューブ２２の内腔を介して相互に連通されている。
【００３０】
外針１２と針接合部１８と軟質チューブ２２と流路接続部２０の各内腔には、内針１４が基端側から挿通されている。内針１４は、中空の金属針であって、先端面が傾斜面とされることで鋭角の針先が形成されている。
【００３１】
内針１４の基端側には、内針ハブ３８が取り付けられている。内針ハブ３８は、内針１４の基端部分が挿入状態で固着される台座部４０を有しており、台座部４０の基端側に連結部４２が設けられていると共に、台座部４０の先端側にプロテクタ収容部４４が設けられている。
【００３２】
連結部４２は、筒状とされており、内針キャップ４６が取外し可能に差し入れられて装着されている。内針キャップ４６は、針軸方向の中間部分に段差が設けられた略段付き円筒形状とされている。内針キャップ４６には、図示しない通気フィルタが設けられている。この通気フィルタは、気体は通過するが液体は通過しない性質を有しており、通気フィルタが内針キャップ４６の内腔に設けられることで、内針１４を通じての逆血が外部に漏れ出さないようになっている。なお、内針ハブ３８や内針キャップ４６を透明とすれば、逆血（フラッシュバック）によって血管への穿刺を容易に確認することができる。
【００３３】
プロテクタ収容部４４は、筒状とされている。また、プロテクタ収容部４４の先端側には、穿刺操作部４８が設けられている。穿刺操作部４８は、プロテクタ収容部４４よりも大径の筒状とされている。穿刺操作部４８は、プロテクタ収容部４４から先端側へ向かって延びており、内針１４が外針１２に挿通された状態において、外針ハブ１６の一部の外周側を囲むように配されている。即ち、穿刺操作部４８は、外針ハブ１６の流路接続部２０の基端よりも先端側まで延び出して、流路接続部２０の外周まで達している。本実施形態の穿刺操作部４８は、流路接続部２０の先端よりも先端側まで延び出しており、軟質チューブ２２の外周まで達している。穿刺操作部４８は、１０ｍｍ以上の長さを有していることが望ましい。
【００３４】
図１，２に示すように、穿刺操作部４８の外面には、一対の支持面５０，５０が設けられている。支持面５０は、穿刺操作部４８の外周面において相互に対応する両側面に設けられて、軸方向に延びている。一対の支持面５０，５０は、内針１４の針先の傾斜面が上向きとなる状態において、上下方向と直交する両側方に位置するように設けられている。一対の支持面５０，５０は、穿刺操作部４８の先端まで達しておらず、先端部分が先端側に向かって側方外側へ傾斜する傾斜面とされている。一対の支持面５０，５０が穿刺操作部４８の先端まで達していないことにより、穿刺操作部４８の先端部分が厚肉とされており、穿刺操作部４８の先端部分の形状安定性が高められている。また、各支持面５０には、穿刺操作部４８の周方向に延びる滑止め５２が設けられている。滑止め５２は、支持面５０に突設された突条であって、穿刺操作部４８の軸方向に所定の間隔で複数が設けられている。
【００３５】
プロテクタ収容部４４の内周側には、プロテクタハウジング５４が配されている。プロテクタハウジング５４は、筒状の収容筒部５６と、収容筒部５６の先端側の開口を閉塞する蓋体５８とを備えている。また、蓋体５８は、先端側の板状部と基端側の板状部が軸方向で離れて設けられており、それら板状部の間に針先プロテクタ６０が配されている。針先プロテクタ６０は、プロテクタハウジング５４に収容された固定部材６２と遮蔽部材６４によって構成されている。固定部材６２と遮蔽部材６４は、軸直角方向で内針１４を挟んで相互に離れて配置されている。固定部材６２と遮蔽部材６４は、何れか一方が磁石とされていると共に、何れか他方が磁石又は強磁性体とされており、それら固定部材６２と遮蔽部材６４の間に相互に引き合う磁気的な引力が作用している。固定部材６２は、収容筒部５６の先端部に固定されている。遮蔽部材６４は、固定部材６２に対して接近方向へ変位可能とされており、固定部材６２と遮蔽部材６４の間に内針１４が挿通された状態において、固定部材６２側への移動が内針１４によって阻止されている。
【００３６】
プロテクタハウジング５４は、コネクタキャップ６６によって外針ハブ１６に連結されている。コネクタキャップ６６は、軸直角方向に広がる底壁部６８を備えている。底壁部６８は、円環板状とされており、内周端部には先端側へ突出する管状突起７０が一体形成されている。底壁部６８の外周端部には、先端側へ延び出す周状壁部７２と、基端側へ延び出す一対の弾性片７４，７４とが一体形成されている。
【００３７】
周状壁部７２は、筒状とされており、内周面に雌ねじ７６が設けられている。そして、周状壁部７２の内周へ外針ハブ１６を構成する押し子ガイド３２の基端部分が差し入れられて、押し子ガイド３２の雄ねじ部３４と周状壁部７２の雌ねじ７６が螺合することにより、コネクタキャップ６６が外針ハブ１６の基端部分に取り付けられる。
【００３８】
一対の弾性片７４，７４は、板状とされて、厚さ方向で弾性的な撓み変形を許容されている。一対の弾性片７４，７４は、突出先端において内周側へ突出する係止爪７８がそれぞれ設けられている。係止爪７８は、突出先端である内周側に向けて軸方向の幅寸法が小さくなる先細断面形状を有している。そして、一対の弾性片７４，７４の対向間にプロテクタハウジング５４の先端部分が差し入れられて、一対の弾性片７４，７４の各係止爪７８がプロテクタハウジング５４に対して軸方向で係止される。これにより、コネクタキャップ６６がプロテクタハウジング５４に取り付けられており、外針ハブ１６とプロテクタハウジング５４がコネクタキャップ６６を介して連結されている。
【００３９】
コネクタキャップ６６には、内針ハブ３８の穿刺操作部４８が外挿されている。これにより、一対の弾性片７４，７４の外周側への変形が、穿刺操作部４８によって規制されて、一対の係止爪７８，７８によるコネクタキャップ６６とプロテクタハウジング５４との連結が安定して維持される。
【００４０】
このような構造とされた留置針組立体１０は、内針１４が図示しない患者の腕などの血管に穿刺される。血管への穿刺を行う医療従事者は、図５に示すように、留置針組立体１０の穿刺操作部４８を手指で持って適切に保持した状態で、内針１４を患者の腕などに穿刺する。医療従事者は、一対の支持面５０，５０に指先を当てて穿刺操作部４８を挟むように持つ。これにより、医療従事者は、安定して内針１４を針先から患者に穿刺することができる。
【００４１】
穿刺操作部４８において医療従事者が指先で持つ部分が、一対の支持面５０，５０とされていることにより、穿刺操作部４８が周方向において位置決めされた状態で保持され易い。また、一対の支持面５０，５０に滑止め５２がそれぞれ設けられていることにより、医療従事者は穿刺方向の力を留置針組立体１０に対して効率的に加えることができる。しかも、一対の支持面５０，５０の先端部分がそれぞれ傾斜面とされていることにより、指先が支持面５０，５０よりも先端側へ滑り難く、穿刺方向の力をより安心して加えることができる。
【００４２】
医療従事者によって支持される穿刺操作部４８は、内針１４の基端部に固着された内針ハブ３８に一体形成されていることから、穿刺操作部４８に対する内針１４のがたつきなどは生じ難い。従って、穿刺操作部４８を持って穿刺を行うことにより、内針１４を精度よくコントロールすることができて、正確な穿刺を実現し易くなる。
【００４３】
しかも、穿刺操作部４８は、従来の内針ハブに比して、より先端側まで延び出していることから、内針１４の針先により近い位置で内針１４側を持って穿刺を行うことができる。それ故、内針１４の穿刺位置をより高精度に調節し易くなって、正確な穿刺を容易に実行することができる。特に、穿刺操作部４８が外針ハブ１６の外周まで延び出していることから、外針ハブ１６を持つことなく、留置針組立体１０を針先に近い位置で持つことができる。
【００４４】
内針１４側に設けられた穿刺操作部４８を持つことにより、外針１２側に不要な外力が加わり難く、外針ハブ１６を持って穿刺を行う場合に比して、外針１２と内針１４の意図しない相対変位が生じ難い。それ故、例えば、外針１２が内針１４に対して先端側へ移動して内針１４の切先部分が外針１２で覆われるのを防ぐことより、内針１４の切れ味の低下を防いで、患者の痛みを低減することができる。更に、医療従事者が、内針１４の針先の位置を精度よくコントロールし易くなって、正確な穿刺を容易に実行可能となる。
【００４５】
特に、軟質チューブ２２を備える外針ハブ１６に外力が作用すると、軟質チューブ２２の変形によって外針１２と内針１４の相対的な移動などを生じ易いが、内針１４側の穿刺操作部４８を持つことにより、外針ハブ１６には外力が作用し難い。それ故、軟質チューブ２２の変形による外針１２と内針１４の相対的な移動が防止されて、穿刺痛の低減やより正確な穿刺が実現される。
【００４６】
なお、内針１４及び外針１２が患者の血管に穿刺された後、外針１２から内針１４が抜去されることにより、外針１２及び外針ハブ１６が患者の血管に挿入された状態で留置される。
【００４７】
外針１２から引き抜かれた内針１４は、図６に示すように、針先が針先プロテクタ６０によって保護される。即ち、内針１４が基端側に引き抜かれると、内針１４は、コネクタキャップ６６に係止されたプロテクタハウジング５４に対して、基端側へ相対変位する。そして、内針１４の先端が遮蔽部材６４よりも基端側まで移動することにより、遮蔽部材６４の固定部材６２への接近変位が許容されて、遮蔽部材６４が内針１４の先端側を塞ぐように配置される。これにより、内針１４は、針先プロテクタ６０に対して先端側への移動が制限されて、プロテクタハウジング５４に収容された内針１４の針先が外部に露出しなくなる。
【００４８】
さらに、内針１４に設けられた図示しない突部がプロテクタハウジング５４の収容筒部５６の基端部に対して軸方向で係止されることにより、内針１４からプロテクタハウジング５４に引抜力が伝達される。そして、プロテクタハウジング５４がコネクタキャップ６６に対して基端側へ引かれることにより、プロテクタハウジング５４とコネクタキャップ６６の係止爪７８との係止が解除されて、プロテクタハウジング５４がコネクタキャップ６６から分離する。これにより、内針１４が外針１２から分離して取り除かれる。
【００４９】
内針１４から分離して留置された外針１２は、外針ハブ１６（図６参照）からコネクタキャップ６６が取り外されて、外針ハブ１６の流路接続部２０に設けられた雄ねじ部３４に対して、図示しない外部流路を構成するチューブやシリンジのコネクタが取り付けられる。これにより、外針１２及び外針ハブ１６の内腔が、外部流路に接続される。このように、外針ハブ１６の雄ねじ部３４は、コネクタキャップ６６の外針ハブ１６への連結と、外部流路の外針ハブ１６への連結との両方に用いられる。
【００５０】
外針ハブ１６に図示しない外部流路が接続されると、押し子２８が外部流路によって先端側へ押し込まれる。押し込まれた押し子２８が止血弁２６に押し当てられて止血弁２６を変形させることにより、止血弁２６の切込み３５が開放される。これにより、外針１２及び外針ハブ１６の内腔を通じて、患者の血管と外部流路が接続されて、血液透析や採血、薬液の投与などの治療を行うことができる。
【００５１】
以上、本発明の実施形態について詳述してきたが、本発明はその具体的な記載によって限定されない。例えば、穿刺操作部の先端位置は、流路接続部の基端よりも先端側であって、外針ハブの外周に位置していれば、特に限定されない。具体的には、例えば、穿刺操作部の先端は、軟質チューブまで達することなく流路接続部の外周に位置していても良いし、軟質チューブよりも先端側に設けられた針接合部の外周に位置していても良い。
【００５２】
穿刺操作部は、内針ハブと一体形成されていなくても良く、例えば、内針ハブとは別部材とされて、内針ハブに固定的に取り付けられていても良い。なお、穿刺操作部は、内針ハブに対して離脱可能に取り付けられ得る。
【００５３】
穿刺操作部は、筒状に限定されず、例えば、軸直角方向で対向する一対の板状であっても良い。また、穿刺操作部は、例えば、先端側に向かって拡開又は収縮するテーパ状であっても良い。穿刺操作部が先端側に向かって徐々に大径となる形状とされていれば、穿刺時に穿刺方向の力を効率的に加えることができる。穿刺操作部が先端側に向かって徐々に或いは段階的に小径となる形状とされていれば、外針ハブの外周に位置する穿刺操作部がより先端側まで延び出していても、穿刺操作部が患者に触れ難くなって穿刺作業の妨げになり難い。
【００５４】
前記実施形態では、平面形状を有する一対の支持面５０，５０を例示したが、例えば、外周に向かって凹とされた一対の凹面を一対の支持面として採用することもできる。これによれば、穿刺操作部を持つ手指が滑るのをより効果的に防ぐことができる。また、支持面の滑止めは、突起状に限定されず、手指の滑りを防止できれば良い。具体的には、例えば、凹溝状であっても良いし、細かい凹凸が多数形成されたシボ状などであっても良い。支持面は、指先で持つ部位であることを表示して使用者に示す面であり、例えば上述したように形状によって支持面を構成することもできるが、これに限らず、例えば、穿刺操作部にマークなどを付すことで支持面を構成することもできる。
【００５５】
医療従事者が指先で持つ支持面は、必ずしも一対だけに限定されない。具体的には、例えば、穿刺操作部４８の側面に設けられる一対の支持面５０，５０に加えて、穿刺操作部４８の上面に支持面が設けられていても良い。なお、例えば、穿刺操作部４８が略矩形断面とされることにより、患者の体表面側に位置する面を除いた３面をそれぞれ支持面とすることができる。このことからも分かるように、医療従事者が穿刺操作部４８を指先で持つ場合に、持ち方は特に限定されるものではない。例えば、親指と中指を穿刺操作部４８の側面に設けられる一対の支持面５０，５０に当てて穿刺操作部４８を挟むと共に、穿刺操作部４８の上面に人差指を当てるような持ち方もできる。
【００５６】
前記実施形態に示した止血弁２６や押し子２８、プロテクタ収容部４４、プロテクタハウジング５４、針先プロテクタ６０、コネクタキャップ６６などは、必要に応じて設けられるものであって、何れも必須ではない。
【符号の説明】
【００５７】
１０  留置針組立体
１２  外針
１４  内針
１６  外針ハブ
１８  針接合部
２０  流路接続部
２２  軟質チューブ
２４  弁ハウジング
２６  止血弁
２８  押し子
３０  カバー部材
３２  押し子ガイド
３４  雄ねじ部
３５  切込み
３６  弁支持部材
３７  チューブ連結部材
３８  内針ハブ
４０  台座部
４２  連結部
４４  プロテクタ収容部
４６  内針キャップ
４８  穿刺操作部
５０  支持面
５２  滑止め
５４  プロテクタハウジング
５６  収容筒部
５８  蓋体
６０  針先プロテクタ
６２  固定部材
６４  遮蔽部材
６６  コネクタキャップ
６８  底壁部
７０  管状突起
７２  周状壁部
７４  弾性片
７６  雌ねじ
７８  係止爪
【図１】
2020188876.tif 000003
【図２】
2020188876.tif 000004
【図３】
2020188876.tif 000005
【図４】
2020188876.tif 000006
【図５】
2020188876.tif 000007
【図６】
2020188876.tif 000008